(57)【特許請求の範囲】
【請求項１】
差込プラグと、この差込プラグが接続されるソケットとの電気接続部に水が侵入することを防止するために、互いに嵌合することによって水を遮断する防水用嵌合部を備えた防雨防水用の差込プラグとソケットとの組み合わせにおいて、
上記のソケットは、電気接続部である刃受け穴を備えたソケット本体と、このソケット本体より大きな外周を有する弾性を有するカバーが防水用嵌合部として設けられているものであり、
上記の差込プラグは、コンセントの刃受け穴に対する電気接続部である栓刃を有するプラグ本体と、上記ソケットのカバー内に嵌入する防水用嵌合部とを備え、
上記のプラグ本体は、その外周の大きさが、コンセントの１つの刃受け穴に接続した場合に、他の刃受け穴を隠蔽しない大きさであり、
このプラグ本体は、プラグの抜き差しを行う際に人が摘むための握り部を基端側に備え、
その先端側に防水用嵌合部に対する着脱部を備え、
上記の差込プラグの防水用嵌合部は、上記のプラグ本体の外径より大きな径を備えたもので、上記のソケットの防水用嵌合部内に嵌入する膨出部となるリング体であり、
このリング体に対してプラグ本体を当該プラグ本体の先端側から挿入して、このリング体の内周とプラグ本体の上記の着脱部を脱着することにより両者が一体となり、防雨防水用の差込プラグとなるものであり、
この差込プラグの防水用嵌合部をプラグ本体から取り外してしまうことによって、コンセントの１つ分の刃受け穴のみを占有することになり、不要な刃受け穴の占有を防止できるようにしたものであり、
上記のソケット本体は、握り部を基端側に備え、その先端側に上記のソケットの防水用嵌合部に対する着脱部を有し、
上記のソケットの防水用嵌合部は、ソケット本体の外径より大きな径を備えたもので、前記の差込プラグの防水用嵌合部を受容する弾性を備えた筒状のカバー体であり、
このカバー体の内径は前記の差込プラグの防水用嵌合部より小さく、このカバー体が弾性変形して差込プラグの防水用嵌合部を嵌入するものであり、
このカバー体に対してソケット本体を当該ソケット本体の先端側から挿入して、このカバー体の内周とソケット本体の上記の着脱部を脱着することにより両者が一体となり、防雨防水用の差込ソケットとなるものであり、
この防雨防水用の差込ソケットのカバー体に上記防雨防水用の差込プラグのリング体を嵌入することにより、防雨防水用の差込プラグ・ソケットの接続構造となり、この防雨防水用の差込ソケットからカバー体を取り外して、上記防雨防水用の差込プラグに接続することにより迅速な接続が可能となることを特徴とする防雨防水用の差込プラグとソケットとの組み合わせ。
【請求項２】
上記のプラグ本体の着脱部と上記の差込プラグの防水用嵌合部とに互いに螺合することにより両者を着脱可能とするねじが形成され、
上記のソケット本体の着脱部と上記のソケットの防水嵌合部とに互いに螺合することにより両者を着脱可能とするねじが形成され、
上記のプラグ本体の着脱部と上記の差込プラグの防水用嵌合部との少なくともいずれか一方に防水用シール部が設けられ、
上記のソケット本体の着脱部と上記のソケットの防水嵌合部との少なくともいずれか一方に防水用シール部が設けられたことを特徴とする請求項１記載の防雨防水用の差込プラグとソケットとの組み合わせ。
【発明の詳細な説明】
【０００１】
【発明の属する技術分野】
本願発明は、防雨防水用の差込プラグ・ソケットに関するものである。
【０００２】
【従来の技術】
従来より、電気配線を野外で行う場合に、雨水や所定水圧下での水が電気接続部に侵入することを防止するために、防雨防水用の差込プラグ・ソケットが使用されている。
この種の差込プラグ・ソケットは、互いに嵌合することによって水を遮断する防水用嵌合部が設けられたもので、一般的には、電気接続部である刃受け穴を備えたソケットに、そのソケット本体より大きな外周を有する軟質合成樹脂やゴム製等の弾性を有するカバーが防水用嵌合部として設けられている。一方、プラグには、このカバー内に嵌入する膨出部が、防水用嵌合部として、プラグ本体より一回り大きく設けられている。そして、プラグをソケットに差し込む際に、弾性を有するカバー内に膨出部を嵌入することにより、防水性を向上させている。
【０００３】
【発明が解決しようとする課題】
ところが、上記のカバーや膨出部は、本体より大きく形成されているため、標準のコンセントｃにプラグｐを差し込む場合、図４に示すように、２つ分の刃受け穴ｃ１、ｃ２を占有してしまう。その結果、１つの屋内用のコンセントに対して使用できるプラグ数が通常のプラグより少なくなってしまう。
また、家屋やベランダの外壁には、雨覆いを有する屋外用コンセントが設けられているため、通常のプラグを接続した場合にも防雨性を得るようにしている。そのため、この屋外用コンセントには、前述の膨出部を嵌入させるための弾性を有するカバーは不要なものとして設けられていない。そのため、前述の防雨防水用の差込プラグを、この屋外用コンセントに接続する場合、同差込プラグに設けられた膨出部は防雨防水用として何ら機能しない。その結果、防雨防水用として何ら機能しない膨出部のために、屋外用コンセントに対しても、使用できるプラグ数が少なくなってしまうという不合理な結果を招いている。
また、防水用嵌合部としての膨出部とカバーを夫々備えたプラグとソケットとを接続する場合には、前述のように、カバーの口を拡径して、膨出部を嵌入させなければならいなため、通常のプラグとソケットとの接続の場合に比して困難であり手間がかる。ところが、防雨防水用のプラグ・ソケットは、必ずしも野外で使用されるとは限らず、屋内等の全く水に関して配慮しなくてもよい場所で使用されることも多い。このように、防水性が求められない環境下にて防雨防水用の差込プラグ・ソケットを使用した場合には、接続のために無用な手間を掛けてしまう結果となる。
しかして、本願発明の目的は、防雨防水の機能が発揮し得ない場合に、或いは、防水性や防雨性が求められない環境下にて防雨防水用の差込プラグ・ソケットを使用する場合に、コンセントに対して使用できるプラグ数が少なくなってしまうことを防止したり、或いは、本来無用な手間を省いて迅速な接続を行うことができる防雨防水用の差込プラグとソケットとの組み合わせを提供することにある。
【０００４】
本願の第１の発明は、差込プラグと、この差込プラグが接続されるソケットとの電気接続部に水が侵入することを防止するために、互いに嵌合することによって水を遮断する防水用嵌合部を備えた防雨防水用の差込プラグとソケットとの組み合わせにおいて、上記のソケットは、電気接続部である刃受け穴を備えたソケット本体と、このソケット本体より大きな外周を有する弾性を有するカバーが防水用嵌合部として設けられているものであり、上記の差込プラグは、コンセントの刃受け穴に対する電気接続部である栓刃を有するプラグ本体と、上記ソケットのカバー内に嵌入する防水用嵌合部とを備え、上記のプラグ本体は、その外周の大きさが、コンセントの１つの刃受け穴に接続した場合に、他の刃受け穴を隠蔽しない大きさであり、このプラグ本体は、プラグの抜き差しを行う際に人が摘むための握り部を基端側に備え、その先端側に防水用嵌合部に対する着脱部を備え、上記の差込プラグの防水用嵌合部は、上記のプラグ本体の外径より大きな径を備えたもので、上記のソケットの防水用嵌合部内に嵌入する膨出部となるリング体であり、このリング体に対してプラグ本体を当該プラグ本体の先端側から挿入して、このリング体の内周とプラグ本体の上記の着脱部を脱着することにより両者が一体となり、防雨防水用の差込プラグとなるものであり、この差込プラグの防水用嵌合部をプラグ本体から取り外してしまうことによって、コンセントの１つ分の刃受け穴のみを占有することになり、不要な刃受け穴の占有を防止できるようにしたものであり、上記のソケット本体は、握り部を基端側に備え、その先端側に上記のソケットの防水用嵌合部に対する着脱部を有し、上記のソケットの防水用嵌合部は、ソケット本体の外径より大きな径を備えたもので、前記の差込プラグの防水用嵌合部を受容する弾性を備えた筒状のカバー体であり、このカバー体の内径は前記の差込プラグの防水用嵌合部より小さく、このカバー体が弾性変形して差込プラグの防水用嵌合部を嵌入するものであり、このカバー体に対してソケット本体を当該ソケット本体の先端側から挿入して、このカバー体の内周とソケット本体の上記の着脱部を脱着することにより両者が一体となり、防雨防水用の差込ソケットとなるものであり、この防雨防水用の差込ソケットのカバー体に上記防雨防水用の差込プラグのリング体を嵌入することにより、防雨防水用の差込プラグ・ソケットの接続構造となり、この防雨防水用の差込ソケットからカバー体を取り外して、上記防雨防水用の差込プラグに接続することにより迅速な接続が可能となることを特徴とする防雨防水用の差込プラグとソケットとの組み合わせを提供する。
本願の第２の発明は、上記のプラグ本体の着脱部と上記の差込プラグの防水用嵌合部とに互いに螺合することにより両者を着脱可能とするねじが形成され、上記のソケット本体の着脱部と上記のソケットの防水嵌合部とに互いに螺合することにより両者を着脱可能とするねじが形成され、上記のプラグ本体の着脱部と上記の差込プラグの防水用嵌合部との少なくともいずれか一方に防水用シール部が設けられ、上記のソケット本体の着脱部と上記のソケットの防水嵌合部との少なくともいずれか一方に防水用シール部が設けられたことを特徴とする防雨防水用の差込プラグとソケットとの組み合わせを提供する。
ここで、防雨と防水とは、プラグ・ソケットに求められる防水性能の差にあり、防水の方が防雨に比して、高い水圧下における水密性が求められるものであるが、本願発明では、防雨と防水との何れか一方を満足するものであればよく、原則として本願の説明では、両者を区別しないものとする。
【０００５】
【発明の実施の形態】
以下、図面に基づき本願発明の実施の形態を説明する。
図１（Ａ）は本願発明の実施の形態に係る差込プラグの側面図であり、防水用嵌合部を取り外した状態を示すものである。図１（Ｂ）は防水用嵌合部の正面図である。図２は本願発明の実施の形態に係る差込プラグの側面図であり、防水用嵌合部を取り付けた状態を示すものである。
【０００６】
この差込プラグ１は、ソケットとの電気接続部に水が侵入するための防水用嵌合部３を備えた防水又は防雨用の差込プラグであり、プラグ本体２と、防水用嵌合部３とが別体に形成されている。
プラグ本体２は、電気接続部である栓刃２１を先端面に一対備え、基端には上記の栓刃２１に接続された電源コード２２が延出している。
【０００７】
このプラグ本体２は、図４に示す標準にコンセントｃの刃受け穴ｃ１、ｃ２、ｃ３に、栓刃２１を差し込むことによって電気的に接続できるもので、その外周の大きさは、１つの刃受け穴に接続した場合に、他の刃受け穴を隠蔽しない大きさとしている。
【０００８】
このプラグ本体２は、プラグの抜き差しを行う際に人が摘むための握り部２３を基端側に備え、その先端側に防水用嵌合部３に対する着脱部２４が設けられている。この着脱部２４は、外周に雄ねじ２５が形成されたもので、握り部２３より外径が小さく、両者間には段差が形成される。この段差、言い換えれば、着脱部２４の基端には、Ｏリング又はパッキン等の防水用シール部２６が装着されている。尚、この例では、着脱部２４は硬質の合成樹脂によって形成され、これを貫くようにして、栓刃２１が装着されている。そして、栓刃２１を装着した着脱部２４が、他方、プラグ本体２の他の部分内にインサート成形されている。このプラグ本体２の他の部分は着脱部２４より軟質の合成樹脂によって形成されている。図１（Ａ）中の点線は、握り部２３内に固定された着脱部２４の基端２５ａを示す。勿論、プラグ本体２を単一の合成樹脂によって成形してもよい。
【０００９】
防水用嵌合部３は、プラグ本体２の外径より大きな径を備えたもので、ソケットの防水用嵌合部内に嵌入する膨出部となるリング体である。このリング体の内周には、着脱部２４の雄ねじ２５と螺合する雌ねじ３１が形成されている。この例でも、雌ねじ３１の部分と他の部分とを別種類の合成樹脂にて形成し、インサート成形等で一体化してもよいが、全体を単一の合成樹脂によって成形してもよい。
尚、防水用嵌合部３とプラグ本体２との着脱構造は、ねじによる螺合の他、強制強嵌合、突起と受容穴の嵌合等、種々の着脱構造に変更できる。
【００１０】
この防水用嵌合部３とプラグ本体２とは、両者のねじ３１、２５を螺合することによって一体となり、図２に示す防雨防水用の差込プラグとなる。その際、防水用シール部２６によって、防水用嵌合部３とプラグ本体２との間の水密性は確保されるが、高い水密性が要求されない場合には、防水用シール部２６を設けずに実施できる。また、防水用嵌合部３側に防水用シール部を設けても良く、両者に設けても良い。
【００１１】
そして、図２に示す防雨防水用の差込プラグの状態で、標準のコンセントに使用すると、２つ分の刃受け穴を占有することになるが、防水用嵌合部３をプラグ本体２から取り外してしまうことによって、１つ分の刃受け穴のみを占有することになり、不要な刃受け穴の占有を防止できる。
【００１２】
取り外した防水用嵌合部３の紛失を防止するために、防水用嵌合部３とプラグ本体２とを紐等の紛失防止用の接続具４で接続しておくことが望ましい。この例では、接続具４の先端には防水用嵌合部３を接続する一方、接続具４の基端には円形リング部４１を備えたものとして実施しており、この円形リング部４１をプラグ本体２に装着している。このように、接続具４とプラグ本体２とを回動可能に接続しておくことによって、螺合に際して無理なく防水用嵌合部３を回動させることができる。
【００１３】
次に、図３を参照して、ソケットについて説明する。図３（Ａ）は本願発明の実施の形態に係るソケットの側面図であり、防水用嵌合部を取り付けた状態を示すものである。図３（Ｂ）は防水用嵌合部の断面図であり、図３（Ｃ）はソケット本体の側面図である。
【００１４】
このソケット５は、差込プラグとの電気接続部に水が侵入するための防水用嵌合部７を備えた防水又は防雨用のソケットであり、ソケット本体６と、防水用嵌合部７とが別体に形成されている。
ソケット本体６は、図示は省略するが電気接続部である刃受け穴を先端面に一対備え、基端からは電源コード６１が延出している。
【００１５】
このソケット本体６は、握り部６２を基端側に備え、その先端側に防水用嵌合部７に対する着脱部６３を有する。この着脱部６３は、外周に雄ねじ６４が形成されたもので、握り部６２より外径が小さく、着脱部６３の基端には防水用シール部６５が装着されている。ソケット本体６は、１又は２以上の合成樹脂部材によって形成できる。
【００１６】
防水用嵌合部７は、ソケット本体６の外径より大きな径を備えたもので、差込プラグの防水用嵌合部３を受容する筒状のカバー体である。その内径は差込プラグの防水用嵌合部３より小さくしておき、差込プラグの防水用嵌合部３を嵌入させる際に、防水用嵌合部７が弾性変形するように、軟質の合成樹脂やゴム素材等の弾性を有する素材によって形成することが望ましい。このカバー体の基端側の内周には、着脱部６３の雄ねじ６４と螺合する雌ねじ７１が形成されている。この例でも、雌ねじ７１の部分と他の部分とを別種類の合成樹脂にて形成し、インサート成形等で一体化してもよいが、全体を単一の合成樹脂によって成形してもよい。尚、防水用嵌合部７とソケット本体６との着脱構造は、ねじによる螺合の他、強制強嵌合、突起と受容穴の嵌合等、種々の着脱構造に変更できる。
【００１７】
この防水用嵌合部７とソケット本体６とは、螺合にて一体となり、防水用シール部６５によって、両者７、６間の水密性は確保されるが、防水用シール部の構成はソケットと同様に適宜変更できる。なお、防水用嵌合部７の紛失を防止するために、防水用嵌合部７とソケット本体６とを紐等の紛失防止用の接続具（図示せず）で接続しておくことが望ましこともプラグの場合と同様である。
しかして、防水対策が不要な場所でこのソケットを使用する場合には、防水用嵌合部７を取り外しておくことによって、プラグとの接続を迅速なものとすることができる。
【００１８】
【発明の効果】
以上、本願発明は、防雨性能や防水性能が発揮され得ない場合に、或いは、防水性や防雨性が求められない環境下にて防雨防水用の差込プラグ・ソケットを使用する場合に、コンセントに対して使用できるプラグ数が少なくなってしまうことを防止したり、或いは、無用な手間を省いて迅速な接続を行うことができる防雨防水用の差込プラグ・ソケットを提供することができたものである。
【図面の簡単な説明】
【図１】（Ａ）は本願発明の実施の形態に係る差込プラグの側面図であり、防水用嵌合部を取り外した状態を示す。（Ｂ）は防水用嵌合部の正面図である。
【図２】本願発明の実施の形態に係る差込プラグの側面図であり、防水用嵌合部を取り付けた状態を示すものである。
【図３】（Ａ）は本願発明の実施の形態に係るソケットの側面図であり、防水用嵌合部を取り付けた状態を示すものである。（Ｂ）は防水用嵌合部の断面図であり、（Ｃ）はソケット本体の側面図である。
【図４】差込プラグとコンセントとの関係を示す説明図である。
【符号の説明】
【図１】
0004064260.tif 000002
【図２】
0004064260.tif 000003
【図３】
0004064260.tif 000004
【図４】
0004064260.tif 000005